(57)【要約】【課題】不使用時には常時、ペーパーホルダー１の被せ蓋５の先端縁から一定長さのロール紙が外部に引き出されている状態にする。【解決手段】背板２の左右両端縁には前方に突出する１対の側板３を対設している。側板３の上部には、前後方向に延びる長溝よりなる摺動溝８を夫々対向する位置に穿設している。被せ蓋５の基部左右両側には、外側方に突出する軸９、９が夫々取り付けられている。軸９は、摺動溝８内に前後摺動自在に取り付けられ、板バネ１２の復元力で摺動溝８内を後退動するように一端が軸９に取り付けられている。背板２には、復元手段を内装した支持部材２３が取り付けられ、支持部材２３の先端には取付杆２６を介して前後方向に長い前後方向中央部が頂部となるように上方に緩やかに膨出する側視円弧状を呈する彎曲面よりなる支持片６を揺動自在に設けている。【選択図】図１
2011218131.tif 000002
【特許請求の範囲】
【請求項１】
壁面に取り付けられる背板と、該背板の左右両側から前方に突出した左右１対の側板とを連設し、
前記背板と前記側板とで囲まれる空間部にロール紙が配設可能な保持部材を設け、
前記空間部に被せ蓋が出入り可能に、前記左右側板上部の対向する位置には被せ蓋の左右両端部に設けた軸が回動自在に取り付けられたペーパーホルダーにおいて、
前記被せ蓋が前後スライド可能に、前記左右側板の上部には前後方向に延びる摺動溝を設け、該摺動溝には前記軸が摺動自在に取り付けられ、前記軸には後方に付勢する付勢手段を設け、
前記被せ蓋の後方移動に伴って前記ロール紙がロール紙引き出し方向とは逆方向に回転することを防止するために、前記背板には復元部材の復元により斜め上方に傾斜して配設される支持部材を取り付け、
該支持部材の先端には上方に膨出する側視円弧状の彎曲面よりなる支持片を揺動可能に設け、前記支持片上面がロール紙最外層外周面に当接状態を保持するようにしたことを特徴とするペーパーホルダー。
【発明の詳細な説明】
【技術分野】
【０００１】  本発明は、ロール状トイレットペーパー等のロール紙を使用の際に、ペーパーホルダーの被せ蓋の先端縁から常時一定長さのロール紙が外部に引き出されている状態にしたペーパーホルダーに関する。
【背景技術】
【０００２】  ロール紙、例えばロール状トイレットペーパー等を装着するためのトイレットペーパーホルダーは、被せ蓋の先端縁部がトイレットペーパーを切断するためのカッターに形成され、使用後は被せ蓋の先端縁部と、該先端縁部で切断されたトイレットペーパーの切縁が同一線上に重合配設されるものが一般的であった。
上記一般的なトイレットペーパーホルダーは、被せ蓋の先端縁部と、該先端縁部で切断されたトイレットペーパーの切縁が同一線上に重合されているため、次の使用の際には、被せ蓋を持ち上げトイレットペーパーの切縁を被せ蓋の外側方へ使用分量引き出し、引き出された分を一方の手に持ち他方の手では被せ蓋を押えてトイレットペーパーを切断するか、若しくは被せ蓋を持ち上げた状態でトイレットペーパーを一方の手で少し回転させトイレットペーパーの端部を垂下させ、該垂下部分を一方の手で持ち他方の手で被せ蓋を押えてトイレットペーパーを切断していた。このような構成のトイレットペーパーホルダーは、使用の都度、トイレットペーパーホルダーの被せ蓋に手を接触する必要があり、特に不特定人が使用する公衆トイレに関しては被せ蓋を手で触れることは不衛生であり、又、女性は排泄物の種類を問わず１日に幾度もトイレットペーパーを使用するため爪先が損傷し、被せ蓋の上下動の際の発生音が外部に漏れることに抵抗感を感じるという欠点があった。
上記欠点に鑑みて、被せ蓋の下方に被せ蓋の先端縁部と滑動内刃の刃先縁が一致するように重合し、被せ蓋には横幅方向略中央に縦方向に延びる長溝を設け、該長溝内に滑動内刃上面に取り付けたスライドレバーを摺動自在に取り付け、且つ被せ蓋上面に於ける長溝の前端より所定距離離隔して固定レバーを設け、滑動内刃が背面方向に復元するようにコイルばねの両端部を夫々滑動内刃の後部と背面上部とに取り付けて構成し、スライドレバーと固定レバーを手指で挟み付けてスライドレバーを長溝内を前方へスライドさせ滑動内刃を被せ蓋先端縁より前方に移動させた状態でトイレットペーパーを滑動内刃にて切断し、その後スライドレバーから手を離すとコイルばねの復元力により、滑動内刃が移動して被せ蓋の下側に収納配設され、トイレットペーパーの先端部がスライドレバーの移動量分被せ蓋の先端縁部からはみ出し、該はみ出した部分を引出片として次の使用の際に使用することができるようにしたトイレットペーパーホルダーが提案されている（例えば、特許文献１参照）。
特許文献１に開示の発明は、蓋が被せ蓋と滑動内刃を上下に重合した２重構造であるため蓋が重く、部品点数が多いため高コスト化する。又、トイレットペーパー装着時にゴムベルトを側板から取り外すとコイルばねの復元力により、滑動内刃は被せ蓋と共に背面方向に回動し、ゴムベルトを取り外した際に、手の甲或はトイレットペーパーホルダー背面には滑動内刃の回転動による衝撃で傷付けられるという事態が生じる場合があり、危険性を有するという問題点があった。
前部が円弧状に形成された受け部材と紙切板とで囲まれた空間部に於いて、コイルスプリングの弾発力を利用して前方水平方向に付勢する押出部材を設け、該押出部材によりトイレットペーパーを前方に押出すように構成されたトイレットペーパーホルダーが提案されている（例えば、特許文献２参照）。
特許文献２に開示のトイレットペーパーホルダーであると、使用によりトイレットペーパーが小径になった場合であっても、押出部材で後方からトイレットペーパーを円弧状受け部材と紙切板の前端部に押圧しているため、紙切板を手で押えなくてもトイレットペーパーを切断可能である。しかしながら、紙切操作によってはトイレットペーパーの切縁と紙切板の先端縁が重合一致し、トイレットペーパー先端部が紙切板の先端縁より外部に引き出されない事態が生じ、次の使用の際に、紙切板を持ち上げてトイレットペーパーの切縁を受け部材先端縁から外部へ引き出さなければならない場合があるという問題点があった。
左右方向に所定距離離隔対設した１対の側板の後部上端と前部下端に夫々軸孔を穿設し、上端軸孔にＬ字型金具の屈曲部に設けた軸を回転自在に軸架して左右側板にＬ字型金具を枢着し、Ｌ字型金具の一方の片には押し蓋を蝶番付けし、他方の片は左右両端部から前端部に摺動溝を具備した支持杆を前方に延設し、後方に膨出する円弧状受皿の左右上端に設けた軸を前記摺動溝に前後スライド自在に取り付け、左右下端に設けた軸を側板前部下端軸孔に回転可能に枢着し、円弧状受皿には前方に突出する玉付き板状バネを取り付け、該玉付き板状バネの玉部にロール状トイレットペーパーの芯を引っ掛けて使用し、バネの復元力でトイレットペーパーの残量が少なくなると円弧状受皿が起き上がりトイレットペーパーを前方へ移動させるようにしたトイレットペーパーホルダーが提案されている（例えば、特許文献３参照）。
特許文献３に開示のトイレットペーパーホルダーであると、トイレットペーパーの切縁と押し蓋の先端縁の位置が重合一致し、次の使用の際に押し蓋を開蓋してトイレットペーパーの切縁を受皿先端縁から外部へ引き出さなければならず、又、トイレットペーパーが小径になった場合はバネの復元力でＬ字型金具の一方の片が立ち上がるため、押し蓋とトイレットペーパー周面との間に空間ができ、該空間に手を差し入れてトイレットペーパーを引き出し可能であるが、トイレットペーパーに埃や水等がかかりトイレットペーパー自体が不潔になるという問題点があった。
【特許文献１】実開平７−３４９１号公報
【特許文献２】特開平８−５０１号公報
【特許文献３】実開平１−１５１７９５号公報
【発明の開示】
【発明が解決しようとする課題】
【０００３】  本願発明は上記従来技術の有する問題点に鑑みて創案されたものであって、被せ蓋の面積を小さくしてペーパーホルダーを軽量化し、被せ蓋が前後方向にスライド可能にすることにより、不使用時には常時、ペーパーホルダーの被せ蓋の先端縁から一定長さのロール紙が外部に引き出されている状態にし、次の使用者が被せ蓋に触れることなく、ロール紙の引き出し片を摘んでロール紙を容易に引き出し切断して使用することのできるペーパーホルダーを提供することを目的とする。
【課題を解決するための手段】
【０００４】  本願発明のうち請求項１に記載の発明は、壁面に取り付けられる背板と、該背板の左右両側から前方に突出した左右１対の側板とを連設し、前記背板と前記側板とで囲まれる空間部にロール紙が配設可能な保持部材を設け、前記空間部に被せ蓋が出入り可能に、前記左右側板上部の対向する位置には被せ蓋の左右両端部に設けた軸が回動自在に取り付けられたペーパーホルダーにおいて、前記被せ蓋が前後スライド可能に、前記左右側板の上部には前後方向に延びる摺動溝を設け、該摺動溝には前記軸が摺動自在に取り付けられ、前記軸には後方に付勢する付勢手段を設け、前記被せ蓋の後方移動に伴って前記ロール紙がロール紙引き出し方向とは逆方向に回転することを防止するために、前記背板には復元部材の復元により斜め上方に傾斜して配設される支持部材を取り付け、該支持部材の先端には上方に膨出する側視円弧状の彎曲面よりなる支持片を揺動可能に設け、前記支持片上面がロール紙最外層外周面に当接状態を保持するようにしたことを特徴とする。
【発明の効果】
【０００５】  蓋を１枚の被せ蓋よりなる一重構造に形成し、しかも縦幅を狭くし面積を狭小にしているので被せ蓋が軽量化しロール紙の回転速度が向上し、又、ペーパーホルダー全体が軽量化するため取り付けた壁面への負担が軽減されるという効果がある。
被せ蓋の後部左右両端に取り付けた軸には、後方に付勢する付勢手段を設けているので、被せ蓋を前方に移動し停止した状態でロール紙を切断後、被せ蓋を加圧から解放するとペーパーホルダーの被せ蓋が後方に移動して摺動溝の後端部に配設保持され、被せ蓋の移動量と略同じ長さのロール紙が被せ蓋の先端縁から外部に引き出されている状態となり、次の使用者が被せ蓋に触れることなくコール紙の引き出された先端部を持って引き出して使用することのできるという効果がある。又、不使用の際には、常に一定長さの引き出し片が被せ蓋先端縁から露出しているため、暗黒下や視力の弱い人でも容易に引き出し片を確認可能である。
背板には復元部材の復元により斜め上方に傾斜して配設される支持部材を取り付け、該支持部材の先端には彎曲面よりなる支持片を揺動自在、且つ支持片上面がロール紙に当接保持するように設けているので、被せ蓋の後退移動に伴いロール紙が引き出される方向とは反対方向に回転動しないという効果がある。
支持片が上方に膨出する側視円弧状の彎曲面よりなるため、ロール紙回転時に支持片の角部にロール紙が引っ掛かるという事態が発生しにくい。
【発明を実施するための最良の形態】
【０００６】  被せ蓋の前後方向長さを左右側板上部に穿設した長溝である摺動溝の長さ分短くすることで被せ蓋のみならずペーパーホルダー全体の軽量化を可能にしてロール紙の回転を円滑化すると共に、取り付ける壁への負担の軽減化を実現した。被せ蓋に後方へ付勢する付勢手段を設けることで被せ蓋から手を離すと瞬時に被せ蓋が後退し、ロール紙の先端部が被せ蓋の後退移動量分、被せ蓋先端縁から露出し、露出している引き出し片を摘んで引っ張ることで、被せ蓋に接触することなくロール紙を引き出し可能にし、又、復元部材の復元により斜め上方に傾斜して配設される支持部材を背面に取り付け、支持部材の先端に支持片を揺動可能に取り付けているので、ロール紙が小径になってもロール紙表面に支持片が当接し、最後の一巻についても被せ蓋で切断可能にし、又、支持片を表面側に膨出する側視円弧状に形成することで、被せ蓋の後退移動に伴うロール紙の引き出し方向とは逆方向への回転動を防止すると共に、ロール紙の支持片への引っ掛かりを防止することを実現した。
【実施例１】
【０００７】  実施例を図面に基いて説明する。図１はペーパーホルダーの一部切欠斜視図、図２は被せ蓋の作動状態を示す側面図、図３は支持片とロール紙と被せ蓋との関係を示す断面説明図、図４はロール紙の切り取り状態を示す斜視図、図５はロール紙を切り取り後、被せ蓋が復元した状態を示す斜視図である。
図１〜図５において、ペーパーホルダー１は、主として背板２と、左右１対の側板３、３、側板３、３の外側を夫々被覆して取り付けられたカバー体４、４、側板３、３に回動自在に軸着された被せ蓋５及び支持片６とより構成される。背板２は、ビスや両面接着テープ等により壁面に固定的に取り付けられるように、背面が平坦面に形成され、背板２の上端縁には背板２と９０度の角度をなして前方に突出する係止板７が背板２と連続して設けられている。係止板７は被せ蓋５が背板２よりも後方に傾斜しないようにし、壁への当接を防止する。背板２の左右両端縁には前方に突出する１対の側板３、３を対設し、背板２と側板３、３は合成樹脂を材料として平視コ状に一体成型していることが好適である。側板３、３の上部には、前後方向に延びる長溝よりなる摺動溝８、８を夫々対向する位置に穿設している。【０００８】  被せ蓋５の基部左右両側には、外側方に突出する軸９、９が夫々取り付けられている。軸９、９は、摺動溝８、８に前後摺動自在に取り付けられている。被せ蓋５の上面には摘み部３２が取り付けられている。側板３、３の前部には、窓部１０、１０が対向する位置に開設されている。側板３、３の外側に於いては、窓部１０、１０の開口縁の近傍にバネ取着片１１、１１を固定的に取り付けている。バネ取着片１１、１１には板バネ１２、１２の一端が夫々取り付けられている。板バネ１２、１２は上方に膨らむ円弧状に彎曲された彎曲部と上方に延びる略直線部とよりなり、具体的には摺動溝８、８の後端部下方に於いて分岐して反り返った状態で上方に延び、他端には軸９、９を夫々連結するパイプ状の軸連結部１３、１３が設けられている。軸連結部１３、１３には軸９、９が遊挿され、板バネ１２、１２の復元力により軸連結部１３、１３が後方に移動するようにしている。換言すれば、板バネ１２、１２は、軸９、９を後方に、つまり背板２の方向に付勢するようにしている。【０００９】  窓部１０の上部周縁に沿って外側方に突出する枠部１４を設け、枠部１４の下端と所定距離離隔して下部には平視コ状の受部１５を取り付けている。保持部材１６は、上面１７と、略直角三角形状の側面１８と、長さ方向中央部が内側方に突出し該突出部の両側にバネ配設溝を１９、１９を設けた下面と、外側方は開放した全体として翼形状の中空体に形成されている。側面１８の下端部には前後外側方に突出する枢軸を設け、該枢軸が受部１５、１５の前後面間に回動自在に枢着されている。側面１８、１８の外側端縁には、係止片２０、２０が夫々対向する位置にて前後方に突設されている。受部１５の上端縁は、側面１８、１８の下部に設けた枢着部を中心として保持部材１６が回動するときの係止片２０、２の下端縁が描く軌跡に対応した円弧状形状に形成されている。バネ配設溝１９、１９には、板バネ（図示省略）が配設されている。板バネ（図示省略）の一端は、上面１７と側面１８の交わる隅部に、他端は受部１５の内側底部に夫々圧接して取り付けられ、板バネ（図示省略）に復元力で保持部材１６を下方に付勢しているが、係止片２０、２０が窓部１０の外側縁に係止されて上面１７、１７が略水平状態になるようにしている。側板３、３の外側にはカバー体４、４が取り付け��れている。
上記保持部材は一例を説明したものであって、本願発明は保持部材を実施例１で説明したものに限定せず、ロール紙３０を背板２と側板３、３とで囲まれる空間部に於いてロール紙３０の周面が背板２と対向するように配設するものの総てが本願発明に含まれる。例えば、ロール紙３０の芯中空部を挿通可能な棒体を側板３、３間に亘り架け渡す構造のものや、１対の側板３、３のうち一方の側板３にＬ字型棒体の一端を取り付け、他端からロール紙３０を脱着する構造のもの等も本願発明に包含される。【００１０】  背板２の正面中央には、バネ取付片２１が取り付けられている。バネ取付片２１を中心として僅かばかり下方に、軸孔を具備した取付片２２、２２を軸孔が対向する位置になるように取り付けている。支持部材２３は上下左右側面に囲まれた前後方向に長い中空舌状形に形成され、左右側面の後部には左右対向する位置に穿孔を設け、該穿孔及び取付片２２、２２の軸孔には軸２４が貫通することで、軸２４が取付片２２、２２間に軸架されている。ねじりコイルバネ２５には軸２４が遊挿され、ねじりコイルバネ２５の一端はバネ取付片２１に取り付けられ、他端は支持部材２３の中空部にて上側面に圧接して取り付けられている。支持部材２３の上側面の先端部には、底面及び左右側面を一体成型した取付杆２６が取り付けられている。取付杆２６の左右側面先端部には軸２７を架設し、軸２７に支持片６の下面に設けた取付片２９を揺動自在に枢着している。支持片６は、前後方向に長い矩形片を前後方向中央部が頂部となるように、上方に緩やかに膨出する側視円弧状を呈する彎曲面よりなる。【００１１】  次に、作用について説明する。
ロール紙３０を保持部材１６の下側から上方へ持ち上げて保持部材１６を窓部１０内に収納後、芯３１の内側に保持部材１６を配設すると、保持部材１６はバネ配設溝１９に取り付けられている板バネ（図示省略）の復元力及び係止片２０が窓部１０の枠部１４と受部１５との間の側板３外面に係止することで、上面１７、１７は水平保持状態でロール紙３０を安定的に装着する。図４に示すように、ロール紙３０の引き出し片を持って適量の紙を引き出し後、摘み部３２を持って被せ蓋５を前方へ引き寄せ、軸９、９が摺動溝８、８の最前部にて停止した状態下で、ロール紙３０を斜め上方に引き上げて被せ蓋５の先端縁でロール紙３０を切断する。ロール紙３０を切断後は、被せ蓋５の摘み部３２から手を離し、被せ蓋５を前方向への作用力から解放させると、板バネ１２の復元力で軸９、９は摺動溝８、８内を後方へ移動し、被せ蓋５もロール紙３０の上面に摺接しながら後退動する。軸９の後退移動量と同長さ分のロール紙３０が被せ蓋５の先端縁より前方に露出し、次の使用の際のロール紙３０の引き出し片として使用できるのである。
【実施例２】
【００１２】  図６に基いて実施例２について説明する。上述の図１〜図５に示される実施例１と異なる点は、摺動溝８内を図６中の矢印で示す方向である前方へスライド後の軸９の後退復元手段である。実施例２では、側板３、３の外面に対して９０度の角度を有して取り付けた取付軸２８に、ねじりコイルバネ３３のコイル部分を取り付け、ねじりコイルバネ３３の復元力を利用して摺動溝８内の軸９を後方へ移動させるようにしている。コイル脱落防止のために取付軸２８の外端は、フランジ３４に形成されている。ねじりコイルバネ３３の一端は軸９に取り付けられ、他端は側板３の外面に固着３５されている。被せ蓋５の軸９を摺動溝８内に於いて前方向にスライドさせ、被せ蓋５から手を離すとねじりコイルバネ３３の復元力で軸９は、摺動溝８内を後方へ移動する。【００１３】  上述の実施例１、２では、軸９の後退手段が板バネ１２やねじりコイルバネ３３の復元力を利用したものを例に説明しているが、本願発明はこれらに限定するものではない。被せ蓋５が前方へ引っ張る力から解放されると、被せ蓋５が後退動するのであれば如何なる手段も本願発明に包含される。
【図面の簡単な説明】
【００１２】
【図１】ペーパーホルダーの一部切欠斜視図である。（実施例１）
【図２】被せ蓋の作動状態を示す側面図である。（実施例１）
【図３】支持片とロール紙と被せ蓋との関係を示す断面説明図である。（実施例１）
【図４】ロール紙の切り取り状態を示す斜視図である。（実施例１）
【図５】ロール紙を切り取り後、被せ蓋が復元した状態を示す斜視図である。（実施例１）
【図６】ねじりコイルバネの取り付け状態を示す一部切欠斜視図である。（実施例２）
【符号の説明】
【００１３】１  ペーパーホルダー
２  背板
３  側板
５  被せ蓋
６  支持片
８  摺動溝
９  軸
１０  窓部
１６  保持部材
２３  支持部材
３０  ロール紙
【図１】
2011218131.tif 000003
【図２】
2011218131.tif 000004
【図３】
2011218131.tif 000005
【図４】
2011218131.tif 000006
【図５】
2011218131.tif 000007
【図６】
2011218131.tif 000008